(57)【特許請求の範囲】
【請求項１】
モデムを用いて誤り訂正モード（ＥＣＭ）で画像データを通信回線を介して相手先の通信端末装置にファクシミリ送信する通信端末装置において、
部分ページ要求信号を所定回数受信したとき、すでに所定の伝送速度までフォールバックしているときは、通信回線を切断し、再ダイヤル待ちに設定するように制御し、上記再ダイヤル待ち後、再ダイヤルするときは、前回のダイヤル時の開始伝送速度であるフォールバック前の伝送速度と同一の伝送速度を有する通信モードの伝送速度で相手先の通信端末装置に発呼してファクシミリ送信を開始し、各再ダイヤル時においてフォールバックするときの伝送速度を再ダイヤルが進むにつれて低下させてファクシミリ送信するように制御する通信制御手段を備えたことを特徴とする通信端末装置。
【請求項２】
上記通信制御手段は、所定の最後の再ダイヤルによるファクシミリ送信を行うときは、上記モデムが有する再低速の伝送速度までフォールバックさせることを特徴とする請求項１記載の通信端末装置。
【発明の詳細な説明】
【０００１】
【発明の属する技術分野】
本発明は、モデムを用いて誤り訂正モード（ＥＣＭ）で画像データを通信回線を介して相手先の通信端末装置にファクシミリ送信するファクシミリ装置などの通信端末装置に関する。
【０００２】
【従来の技術】
従来のファクシミリ装置においては、モデムを用いて画像データを公衆電話網なども通信回線を介して相手先のファクシミリ装置に対してファクシミリ送信するが、この画像データのファクシミリ送信の前に、送信側のファクシミリ装置はトレーニング信号を相手先のファクシミリ装置に送信して、所定の誤り率以上でトレーニング信号を受信できるという基準で送信側のモデムの伝送速度を決定してファクシミリ通信を行っている。
【０００３】
ここで、通信回線の品質が悪い場合、モデムの伝送速度を１段階ずつ低下させ（これを、フォールバックという。）、受信側で所定の誤り率以上でトレーニング信号を受信できるまで、フォールバックを繰り返すように構成されている。例えば、ＩＴＵ−Ｔ勧告では以下のように規定されている。いわゆるスーパーＧ３と呼ばれるＶ．３４モードにおいて、３３．６ｋｂｐｓ、３１．２ｋｂｐｓ、２８．８ｋｂｐｓ、２６．４ｋｂｐｓ、１６．８ｋｂｐｓの順でフォールバックする。次いで、例えば、Ｖ．１７モードで１４．４ｋｂｐｓ、１２ｋｂｐｓの順でフォールバックした後、Ｖ．２９モードで９６００ｂｐｓ、７２００ｂｐｓの順でフォールバックし、さらに、Ｖ．２７ｔｅｒモードで４８００ｂｐｓ、２４００ｂｐｓの順でフォールバックする。
【０００４】
【発明が解決しようとする課題】
特に、誤り訂正モード（ＥＣＭ）で画像データを通信回線を介して相手先の通信端末装置にファクシミリ送信する場合においては、部分ページ要求信号（ＰＰＲ信号）を４回受信するとフォールバックするが、従来のファクシミリ通信では、フォールバックはモデムの最終の伝送速度（２．４ｋｂｐｓ）まで落とすため、通信時間が長くなって通信料金が高価になるという問題点があった。特に、最大伝送速度３３．６ｋｂｐｓを有する高速モデムにおいては、フォールバックの回数は極めて多くなり、それに伴う通信時間がきわめて長くなって通信料金が高価になる。なお、使用する通信回線は、回線接続を行う毎に変化し、特に、距離が長くなるにつれてその状況は大きく変化する場合が多い。
【０００５】
本発明の目的は以上の問題点を解決し、モデムを用いて誤り訂正モード（ＥＣＭ）で画像データを通信回線を介して相手先の通信端末装置にファクシミリ送信するファクシミリ装置などの通信端末装置において、フォールバックする回数を軽減して通信料金を安価に抑えることができる通信端末装置を提供することにある。
【０００６】
【課題を解決するための手段】
本発明に係る通信端末装置は、モデムを用いて誤り訂正モード（ＥＣＭ）で画像データを通信回線を介して相手先の通信端末装置にファクシミリ送信する通信端末装置において、部分ページ要求信号を所定回数受信したとき、すでに所定の伝送速度までフォールバックしているときは、通信回線を切断し、再ダイヤル待ちに設定するように制御する通信制御手段を備えたことを特徴とする。
【０００７】
また、上記通信端末装置において、上記通信制御手段は、好ましくは、上記再ダイヤル待ち後、再ダイヤルするときは、前回のダイヤル時の開始伝送速度であるフォールバック前の伝送速度より低い伝送速度を有する通信モードの伝送速度で相手先の通信端末装置に発呼してファクシミリ送信を開始するように制御することを特徴とする。
【０００８】
さらに、上記通信端末装置において、上記通信制御手段は、好ましくは、所定の最後の再ダイヤルによるファクシミリ送信を行うときは、上記モデムが有する再低速の伝送速度までフォールバックさせることを特徴とする。
【０００９】
【発明の実施の形態】
以下、図面を参照して本発明に係る実施形態について説明する。
【００１０】
＜実施形態＞
図１は、本発明に係る実施形態である、ファックスモデム１０を用いて誤り訂正モード（ＥＣＭ）で画像データを公衆電話網を介して相手先のファクシミリ装置にファクシミリ送信するＥＣＭ通信機能を有し、トレーニング時の再ダイヤル機能を有するファクシミリ装置２０の構成を示すブロック図である。
【００１１】
この実施形態に係るファクシミリ装置２０の主制御部１は、ファックスモデム１０を用いて誤り訂正モード（ＥＣＭ）で画像データを公衆電話網を介して相手先のファクシミリ装置にファクシミリ送信する場合において、部分ページ要求信号（ＰＰＲ信号）を所定回数受信したとき（図３のステップＳ２７でＹＥＳ）、すでに所定の伝送速度までフォールバックしているときは（ステップＳ２９でＹＥＳ）、通信回線を切断し（ステップＳ３１）、再ダイヤル待ちに設定する（ステップＳ３２）ように制御することを特徴としている。
【００１２】
また、主制御部１は、上記再ダイヤル待ち後、再ダイヤルするときは、前回のダイヤル時の開始伝送速度であるフォールバック前の伝送速度より低い伝送速度を有する通信モードの伝送速度で相手先の通信端末装置に発呼してファクシミリ送信を開始する（図４のステップＳ４１−４３）ように制御することを特徴としている。さらに、主制御部１は、所定の最後の再ダイヤルによるファクシミリ送信を行うときは、上記モデムが有する再低速の伝送速度までフォールバックさせる（図５のステップＳ８１−Ｓ９０）ことを特徴としている。
【００１３】
図１において、ファクシミリ装置２０は、従来のＧ３方式等のファクシミリ通信機能を備えるとともに、ファックスモデム１０を用いて誤り訂正モード（ＥＣＭ）で画像データを公衆電話網を介して相手先のファクシミリ装置にファクシミリ送信するＥＣＭ通信機能を有し、トレーニング時の再ダイヤル機能を備えている。主制御部１は具体的にはＣＰＵで構成されており、バス１３を介して以下のハードウェア各部と接続されていてそれらを制御するほか、後述する種々のソフトウェアの機能を実行する。画像読取部２は、ＣＣＤ等を利用したスキャナで原稿を読み取り、白黒２値に変換したドットイメージデータを出力する。画像記録部３は電子写真方式等のプリンタ装置であり、他のファクシミリ装置からファクシミリ通信により受信したイメージデータをハードコピーとしてプリントアウトして記録する。表示部４は、液晶表示装置（ＬＣＤ）又はＣＲＴディスプレイ等の表示装置であり、当該ファクシミリ装置２０の動作状態を表示したり、送信すべき原稿のイメージデータ、及び受信したイメージデータの表示を行う。
【００１４】
操作部５は、当該ファクシミリ装置２０を操作するために必要な文字キー、ダイヤル用テンキー、短縮ダイヤルキー、ワンタッチダイヤルキー、及び各種のファンクションキー等を備える。なお、上述の表示部４をタッチパネル方式とすることにより、この操作部５の各種キーの内の一部又は全部を代用するように構成してもよい。
【００１５】
ＲＯＭ６は、当該ファクシミリ装置２０の動作に必要であって主制御部１によって実行される種々のソフトウェアのプログラムを予め格納し、ここで、当該プログラムは、少なくとも図２乃至図５のファクシミリ送信処理のプログラムを含む。ＲＡＭ７は、ＳＲＡＭ又はフラッシュメモリ等で構成され、主制御部１のワーキングエリアとして使用されてプログラムの実行時に発生する一時的なデータを記憶する。なお、ＲＡＭ７としてフラッシュメモリを使用した場合には、停電、装置の移動等のために電源が遮断された場合にもそのデータの内容が失われない。画像メモリ８はＤＲＡＭ等で構成され、送信すべきイメージデータ又は受信したイメージデータを記憶する。なお、ＲＡＭ７及び画像メモリ８をハードディスクメモリで構成してもよい。
【００１６】
ファックスモデム１０は、公衆電話回線Ｌに接続され、通常のファクシミリ通信用のファックスモデムの機能を有するモデムであり、ＦＳＫ信号として受信される発信電話番号情報のデータを復調して主制御部１に出力する。ＮＣＵ（ネットワーク制御回路：Ｎｅｔｗｏｒｋ  Ｃｏｎｔｒｏｌ  Ｕｎｉｔ）１１はアナログの公衆電話回線Ｌの直流ループなどの閉結及び開放の動作を行いかつ自動ダイヤル機能を有するハードウェア回路であり、必要に応じてファックスモデム１０を公衆電話回線Ｌに接続する。ここで、ＮＣＵ１１は、発信電話番号通知サービスにおけるＩＤ受信端末起動信号、通常の電話呼出信号の検出を行うとともに、必要に応じて発信電話番号通知サービスにおける１次応答信号及び２次応答信号を発信することができる。なお、ＮＣＵ１１を所定のターミナルアダプタ及びＤＳＵ（加入者線終端装置：Ｄｉｇｉｔａｌ  Ｓｅｒｖｉｃｅ  Ｕｎｉｔ）を介して、ベースバンド伝送方式のデジタル回線（例えば、ＩＳＤＮ回線）に接続するようにしてもよい。
【００１７】
以上のように構成された本実施形態のファクシミリ装置２０は、通常のＧ３方式等のファクシミリ通信機能に加えて、ファックスモデム１０を用いて誤り訂正モード（ＥＣＭ）で画像データを公衆電話網を介して相手先のファクシミリ装置にファクシミリ送信するＥＣＭ通信機能を有し、トレーニング時の再ダイヤル機能を有している。ファクシミリ通信機能において、画像読取部２により読み取られたドットイメージデータはファクシミリ通信の規格で定められているＭＨ，ＭＲ，ＭＭＲ等の符号化方式に従ってソフトウェアにより符号化された後、相手先のファクシミリ装置に送信される一方、逆に相手先のファクシミリ装置から受信した符号化データもソフトウェアによりイメージデータに復号化されて画像記録部３からハードコピーとして出力される。なお、画像メモリ８はイメージデータを必要に応じて記憶し、また逆に記憶しているイメージデータを必要に応じて出力する。
【００１８】
さらに、高速でファクシミリ通信などのデータ通信が可能なＶ．３４モード及びＶ．８モードの通信手順について説明する。ファクシミリ装置などの通信端末装置でデータ通信を行う場合には半二重方式の例えばＩＴＵ−Ｔの勧告Ｖ．１７モードの通信手順等に準拠した変復調装置を使用し、Ｇ３規格のファクシミリ通信手順でもある同勧告Ｔ．３０に規定されている手順に従って行う。また、同勧告Ｖ．３４に準拠した最大伝送速度が３３．６ｋｂｐｓの超高速の通信手順（以下、Ｖ．３４モードの通信手順という。）も実用化されており、このＶ．３４モードの通信手順では通信の開始時点及び通信実行中において、受信側でその時点の回線状況、具体的にはＳ／Ｎ（信号対雑音電力比）、帯域幅に応じて伝送速度を指定することが可能であり，送信側ではそのようにして受信側で指定された伝送速度で送信を行うように伝送速度を変更する。なお、Ｖ．３４モードの通信手順でデータ通信を行う場合には同じく同勧告Ｖ．８通信手順で前手順を行って実際の伝送速度を決定する。
【００１９】
本実施形態で用いるファックスモデム１０は、Ｖ．３４モード、Ｖ．１７モードの通信手順が可能な高速モデムであり、通信実行中に伝送速度の変更が可能であると共に、通信相手から受信した信号からその時点の通信回線の状況、具体的にはＳ／Ｎ、帯域幅のデータをステータスとして外部からモニタ可能である。すなわち、送信側装置との間で、ラインプロービング処理が行われるが、この処理の結果、その時点の回線のＳ／Ｎ及び帯域幅がファックスモデム１０からステータスとして出力され、主制御部１はそれを読み出してそれに基づいた処理を行う。
【００２０】
図２乃至図５は、図１のファクシミリ装置２０の主制御部１によって実行される、ファクシミリ送信処理を示すフローチャートである。
【００２１】
図２のステップＳ１において宛先に発呼し、ステップＳ２においてＴ０タイマーをスタートさせる。次いで、ステップＳ３においてＣＮＧ信号を送出した後、ステップＳ４においてＡＮＳａｍ信号又はＤＩＳ信号を検出したか否かが判断され、未検出のときはステップＳ３に戻るが、ＡＮＳａｍ信号を検出したときはステップＳ１１に進む一方、ＤＩＳ信号を検出したときは、ステップＳ５に戻る。ステップＳ５においては、ＤＩＳ信号のＶ．８能力は有効か否かが判断され、ＹＥＳのときはステップＳ８に進む一方、ＮＯのときはステップＳ６に進む。ステップＳ６においてＩＴＵ−Ｔ勧告Ｔ．３０に基づくＧ３モードの通常のファクシミリ送信処理を実行した後、ステップＳ７において回線開放して当該ファクシミリ送信処理を終了する。一方、ステップＳ８では、ＣＩ信号を送出し、ステップＳ９においてＡＮＳａｍ信号又はＤＩＳ信号を検出したか否かが判断され、未検出のときはステップＳ８に戻るが、ＡＮＳａｍ信号を検出したときはステップＳ１１に進む一方、ＤＩＳ信号を検出したときは、ステップＳ５に戻る。
【００２２】
ステップＳ１１においてＣＭ信号を送出し、ステップＳ１２においてＪＭ信号を検出したか否かが判断され、ＹＥＳのときはステップＳ１３に進む一方、ＮＯのときはステップＳ１１に戻る。次いで、ステップＳ１３においてＣＪ信号を送出し、ステップＳ１４においてＣＭ信号のＦＩＦに基づいて通信モードを決定し、ステップＳ１５において決定された通信モードがＶ．３４モードであるか否かが判断され、ＮＯのときはステップＳ６に進む一方、ＹＥＳのときはステップＳ１６に進む。ステップＳ１６では、決定された通信モードに基づいて伝送速度を決定してＩＮＦＯｏｃ信号にセットし、ステップＳ１７において所定のラインプロービング処理を実行し、ステップＳ１８において所定の等化器トレーニング処理を実行した後、図３のステップＳ１９に進む。
【００２３】
図３のステップＳ１９においてＶ．３４モードで伝送速度３３．６ｋｂｐｓをセットし、ステップＳ２０においてＰＰＲ信号受信回数を計数するパラメータＮｐｐｒを０にリセットした後、ステップＳ２１において１ブロックの画像データを送信する。次いで、ステップＳ２２においてＰＰＲ信号を受信したか否かが判断され、ＹＥＳのときはステップＳ２６に進む一方、ＮＯのときはステップＳ２３に進む。ステップＳ２３では、１ページ分の画像データを送信完了したか否かが判断され、ＮＯのときはステップＳ２１に戻る一方、ＹＥＳのときはステップＳ２４に進む。次いで、ステップＳ２４においてすべてのページの画像データを送信完了したか否かが判断され、ＮＯのときはステップＳ２１に戻る一方、ＹＥＳのときはステップＳ２５に進み、回線開放して当該ファクシミリ送信処理を終了する。
【００２４】
図３のステップＳ２６においては、ＰＰＲ信号受信回数Ｎｐｐｒを１だけインクリメントし、ステップＳ２７においてＮｐｐｒ≧４であるか否かが判断され、ＮＯであるときは、ステップＳ２８において先の送信のブロックの画像データを送信対象としてステップＳ２１に戻る。一方、ステップＳ２７でＹＥＳであるときは、ステップＳ２９において伝送速度は１６．８ｋｂｐｓとなったか否かが判断され、ＮＯであるときは、ステップＳ３０においてフォールバックし、すなわち、１段階だけファックスモデム１０の伝送速度を低下させた後、ステップＳ２１に戻る。一方、ステップＳ２９でＹＥＳであるときは、ステップＳ３１でＤＣＮ信号の送出を行い、回線開放して回線を切断して、ステップＳ３２において３分間のリダイヤル待機を行った後、図４のステップＳ４１に進む。
【００２５】
図４のステップＳ４１においては、宛先に発呼し、ステップＳ４２において、ＣＮＧ信号の送出、ＮＳＦ、ＣＳＩ及びＤＩＳ信号の検出、ＤＣＳ、ＴＳＩ及びＮＳＳ信号の送出などのファクシミリ前処理を実行し、ステップＳ４３においてＶ．１７モードで伝送速度１４．４ｋｂｐｓをセットした後、ステップＳ４４においてＰＰＲ信号受信回数Ｎｐｐｒを０にリセットする。次いで、ステップＳ５１において１ブロックの画像データを送信し、ステップＳ５２においてＰＰＲ信号を受信したか否かが判断され、ＹＥＳのときはステップＳ５６に進む一方、ＮＯのときはステップＳ５３に進む。ステップＳ５３では、１ページ分の画像データを送信完了したか否かが判断され、ＮＯのときはステップＳ５１に戻る一方、ＹＥＳのときはステップＳ５４に進む。次いで、ステップＳ５４においてすべてのページの画像データを送信完了したか否かが判断され、ＮＯのときはステップＳ５１に戻る一方、ＹＥＳのときはステップＳ５５に進み、回線開放して当該ファクシミリ送信処理を終了する。
【００２６】
図４のステップＳ５６においては、ＰＰＲ信号受信回数Ｎｐｐｒを１だけインクリメントし、ステップＳ５７においてＮｐｐｒ≧４であるか否かが判断され、ＮＯであるときは、ステップＳ５８において先の送信のブロックの画像データを送信対象としてステップＳ５１に戻る。一方、ステップＳ５７でＹＥＳであるときは、ステップＳ５９において伝送速度は１２．０ｋｂｐｓとなったか否かが判断され、ＮＯであるときは、ステップＳ６０においてフォールバックし、すなわち、１段階だけファックスモデム１０の伝送速度を低下させた後、ステップＳ５１に戻る。一方、ステップＳ５９でＹＥＳであるときは、ステップＳ６１でＤＣＮ信号の送出を行い、回線開放して回線を切断して、ステップＳ６２において３分間のリダイヤル待機を行った後、図５のステップＳ７１に進む。
【００２７】
図５のステップＳ７１においては、宛先に発呼し、ステップＳ７２において、ＣＮＧ信号の送出、ＮＳＦ、ＣＳＩ及びＤＩＳ信号の検出、ＤＣＳ、ＴＳＩ及びＮＳＳ信号の送出などのファクシミリ前処理を実行し、ステップＳ７３においてＶ．２９モードで伝送速度９６００ｂｐｓをセットした後、ステップＳ７４においてＰＰＲ信号受信回数Ｎｐｐｒを０にリセットする。次いで、ステップＳ８１において１ブロックの画像データを送信し、ステップＳ８２においてＰＰＲ信号を受信したか否かが判断され、ＹＥＳのときはステップＳ８６に進む一方、ＮＯのときはステップＳ８３に進む。ステップＳ８３では、１ページ分の画像データを送信完了したか否かが判断され、ＮＯのときはステップＳ８１に戻る一方、ＹＥＳのときはステップＳ８４に進む。次いで、ステップＳ８４においてすべてのページの画像データを送信完了したか否かが判断され、ＮＯのときはステップＳ８１に戻る一方、ＹＥＳのときはステップＳ８５に進み、回線開放して当該ファクシミリ送信処理を終了する。
【００２８】
図５のステップＳ８６においては、ＰＰＲ信号受信回数Ｎｐｐｒを１だけインクリメントし、ステップＳ８７においてＮｐｐｒ≧４であるか否かが判断され、ＮＯであるときは、ステップＳ８８において先の送信のブロックの画像データを送信対象としてステップＳ８１に戻る。一方、ステップＳ８７でＹＥＳであるときは、ステップＳ８９において伝送速度はＶ．２７モードで２４００ｂｐｓとなったか否かが判断され、ＮＯであるときは、ステップＳ９０においてフォールバックし、すなわち、１段階だけファックスモデム１０の伝送速度を低下させた後、ステップＳ８１に戻る。一方、ステップＳ８９でＹＥＳであるときは、ステップＳ９１においてＤＣＮ信号を送出し、ステップＳ８５で回線開放して回線を切断した後、当該ファクシミリ送信処理を終了する。
【００２９】
以上の図２乃至図５に示したファクシミリ送信処理においては、フォールバック及び再ダイヤル発呼の一例のパターンを示しており、以下のように処理を行っている。すなわち、Ｖ．３４モードの３３．６ｋｂｐｓの開始伝送速度でファクシミリ送信を開始し、３１．２ｋｂｐｓ、２８．８ｋｂｐｓ、２６．４ｋｂｐｓ、１６．８ｋｂｐｓの順でフォールバックしたとき、回線切断して再ダイヤル待機を行う。次いで、Ｖ．１７モードの１４．４ｋｂｐｓの開始伝送速度でファクシミリ送信を開始し、１２ｋｂｐｓにフォールバックしたとき、回線切断して再ダイヤル待機を行う。さらに、Ｖ．２９モードの９６００ｂｐｓの開始伝送速度でファクシミリ送信を開始し、７２００ｂｐｓにフォールバックし、さらに、Ｖ．２７ｔｅｒモードで４８００ｂｐｓ、２４００ｂｐｓの順でフォールバックしたとき、通信エラーとして処理している。
【００３０】
以上説明したように、本実施形態によれば、ファクシミリ装置２０の主制御部１は、ファックスモデム１０を用いて誤り訂正モード（ＥＣＭ）で画像データを公衆電話網を介して相手先のファクシミリ装置にファクシミリ送信する場合において、部分ページ要求信号（ＰＰＲ信号）を所定回数受信したとき（図３のステップＳ２７でＹＥＳ）、すでに所定の伝送速度までフォールバックしているときは（ステップＳ２９でＹＥＳ）、通信回線を切断し（ステップＳ３１）、再ダイヤル待ちに設定する（ステップＳ３２）ように制御する。従って、無闇にフォールバックさせずに、再ダイヤルにより回線の状況の改善を試みることにより、フォールバックする回数を軽減して通信時間を短縮して通信料金を安価に抑えることができる。
【００３１】
また、主制御部１は、上記再ダイヤル待ち後、再ダイヤルするときは、前回のダイヤル時の開始伝送速度であるフォールバック前の伝送速度より低い伝送速度を有する通信モードの伝送速度で相手先の通信端末装置に発呼してファクシミリ送信を開始する（図４のステップＳ４１−４３）ように制御する。従って、無駄に同じ速度から送信を試みること無く確実なファクシミリ通信が期待でき、フォールバックする回数を軽減して通信時間を短縮して通信料金を安価に抑えることができる。
【００３２】
さらに、主制御部１は、所定の最後の再ダイヤルによるファクシミリ送信を行うときは、上記モデムが有する再低速の伝送速度までフォールバックさせる（図５のステップＳ８１−Ｓ９０）。従って、ファックスモデム１０の可能な限りの伝送速度で通信を試みることにより、より確実にファクシミリ送信を行うことができる。
【００３３】
さらに、図２乃至図５に示したフォールバック及び再ダイヤル発呼のパターン以外の例について以下に示す。ここで、最後のリダイヤル送信のみ、最低速度２４００ｂｐｓまでのフォールバックを可能とし、最初の開始モードはスーパーＧ３モードでリダイヤル回数が２回の場合の例である。
【００３４】
＜パターン１＞
１回目のファクシミリ送信のとき、まず、Ｖ．３４モードの伝送速度３３．６ｋｂｐｓで開始し、ＣＴＣ信号（訂正続行信号）及びＣＴＲ信号（訂正続行応答信号）でフォールバックし、伝送速度１４４００ｂｐｓでもＰＰＲ信号を４回受信したときはリダイヤル待ちする。リダイヤルにより、２回目のファクシミリ送信をするとき、まず、Ｖ．１７モードの伝送速度１４４００ｂｐｓで通信し、ＣＴＣ信号及びＣＴＲ信号でフォールバックし、伝送速度７２００ｂｐｓでもＰＰＲ信号を４回受信したときはリダイヤル待ちになる。リダイヤルにより、３回目のファクシミリ送信をするとき、まずＶ．２９モードの伝送速度９６００ｂｐｓで通信し、ＣＴＣ信号及びＣＴＲ信号でフォールバックし、Ｖ．２７ｔｅｒモードの伝送速度２４００ｂｐｓでもＰＰＲ信号を４回受信した場合は通信エラーとする。
【００３５】
＜パターン２＞
１回目のファクシミリ送信のとき、まず、Ｖ．３４モードの伝送速度３３．６ｋｂｐｓで開始し、ＣＴＣ信号（訂正続行信号）及びＣＴＲ信号（訂正続行応答信号）でフォールバックし、伝送速度１４４００ｂｐｓでもＰＰＲ信号を４回受信したときはリダイヤル待ちする。リダイヤルにより、２回目のファクシミリ送信をするとき、まず、Ｖ．３４モードの伝送速度３３．６ｋｂｐｓで通信し、ＣＴＣ信号及びＣＴＲ信号でフォールバックし、伝送速度７２００ｂｐｓでもＰＰＲ信号を４回受信したときはリダイヤル待ちになる。リダイヤルにより、３回目のファクシミリ送信をするとき、まずＶ．３４モードの伝送速度３３．６ｋｂｐｓで通信し、ＣＴＣ信号及びＣＴＲ信号でフォールバックし、Ｖ．２７ｔｅｒモードの伝送速度２４００ｂｐｓでもＰＰＲ信号を４回受信した場合は通信エラーとする。このパターン２では、各ファクシミリ送信で開始する伝送速度を同一に設定している。
【００３６】
＜パターン３＞
１回目のファクシミリ送信のとき、まず、Ｖ．３４モードの伝送速度３３．６ｋｂｐｓで開始し、ＣＴＣ信号（訂正続行信号）及びＣＴＲ信号（訂正続行応答信号）でフォールバックし、伝送速度１４４００ｂｐｓでもＰＰＲ信号を４回受信したときはリダイヤル待ちする。リダイヤルにより、２回目のファクシミリ送信をするとき、まず、Ｖ．３４モードの伝送速度２８．８ｋｂｐｓで通信し、ＣＴＣ信号及びＣＴＲ信号でフォールバックし、伝送速度７２００ｂｐｓでもＰＰＲ信号を４回受信したときはリダイヤル待ちになる。リダイヤルにより、３回目のファクシミリ送信をするとき、まずＶ．３４モードの伝送速度１６．８ｋｂｐｓで通信し、ＣＴＣ信号及びＣＴＲ信号でフォールバックし、Ｖ．２７ｔｅｒモードの伝送速度２４００ｂｐｓでもＰＰＲ信号を４回受信した場合は通信エラーとする。このパターン３では、各ファクシミリ送信で開始する伝送速度をＶ．３４モード内で順次低下させている。
【００３７】
以上のパターン例では、Ｖ．３４モードでファクシミリ送信を開始しているが、Ｖ．１７モード又はＶ．２９モードなどでファクシミリ送信を開始してもよい。
【００３８】
＜変形例＞
以上の実施形態においては、ファクシミリ装置２０の例について述べているが、本発明はこれに限らず、公衆電話網又は公衆デジタル回線網などの公衆網に接続された、例えば電話機、データ通信装置などを含む通信端末装置に適用することができる。
【００３９】
以上の実施形態においては、図３のステップＳ２７、図４のステップＳ５７、図５のステップＳ８７においてＰＰＲ信号受信回数のしきい値を４としているが、本発明はこれに限らず、１以上の所定の数としてもよい。
【００４０】
以上の実施形態においては、ファックスモデム１０は高速モデムであるが、本発明はこれに限らず、１４．４ｋｂｐｓ又は９．６ｋｂｐｓの伝送速度を有するモデムであってもよい。
【００４１】
【発明の効果】
以上詳述したように本発明に係る通信端末装置によれば、モデムを用いて誤り訂正モード（ＥＣＭ）で画像データを通信回線を介して相手先の通信端末装置にファクシミリ送信する通信端末装置において、部分ページ要求信号を所定回数受信したとき、すでに所定の伝送速度までフォールバックしているときは、通信回線を切断し、再ダイヤル待ちに設定するように制御する通信制御手段を備える。従って、無闇にフォールバックさせずに、再ダイヤルにより回線の状況の改善を試みることにより、フォールバックする回数を軽減して通信時間を短縮して通信料金を安価に抑えることができる。
【００４２】
また、上記通信端末装置において、上記通信制御手段は、好ましくは、上記再ダイヤル待ち後、再ダイヤルするときは、前回のダイヤル時の開始伝送速度であるフォールバック前の伝送速度より低い伝送速度を有する通信モードの伝送速度で相手先の通信端末装置に発呼してファクシミリ送信を開始するように制御する。従って、無駄に同じ速度から送信を試みること無く確実なファクシミリ通信が期待でき、フォールバックする回数を軽減して通信時間を短縮して通信料金を安価に抑えることができる。
【００４３】
さらに、上記通信端末装置において、上記通信制御手段は、好ましくは、所定の最後の再ダイヤルによるファクシミリ送信を行うときは、上記モデムが有する再低速の伝送速度までフォールバックさせる。従って、モデムの可能な限りの伝送速度で通信を試みることにより、より確実にファクシミリ送信を行うことができる。
【図面の簡単な説明】
【図１】本発明に係る実施形態である、トレーニング時の再ダイヤル機能を有するファクシミリ装置２０の構成を示すブロック図である。
【図２】図１のファクシミリ装置２０の主制御部１によって実行される、ファクシミリ送信処理の第１の部分を示すフローチャートである。
【図３】図１のファクシミリ装置２０の主制御部１によって実行される、ファクシミリ送信処理の第２の部分を示すフローチャートである。
【図４】図１のファクシミリ装置２０の主制御部１によって実行される、ファクシミリ送信処理の第３の部分を示すフローチャートである。
【図５】図１のファクシミリ装置２０の主制御部１によって実行される、ファクシミリ送信処理の第４の部分を示すフローチャートである。
【符号の説明】
１…主制御部、
２…画像読取部、
３…画像記録部、
４…表示部、
５…操作部、
６…ＲＯＭ、
７…ＲＡＭ、
８…画像メモリ、
１０…ファックスモデム、
１１…ＮＣＵ、
１３…バス、
２０…ファクシミリ装置、
Ｌ…公衆電話回線。
【図１】
0003622003.tif 000002
【図２】
0003622003.tif 000003
【図３】
0003622003.tif 000004
【図４】
0003622003.tif 000005
【図５】
0003622003.tif 000006